(57)【要約】【課題】辞書情報の登録を、管理者等が立ち会うことなく、被認証者本人が当該人物認証装置の利用時に行なうことが可能で、省力化と被認証者の利便性が高まる人物認証装置を提供する。【解決手段】被認証の顔画像などを用いて当該被認証を認証する人物認証装置において、辞書情報の登録を、被認証者本人が当該人物認証装置の利用時に個人ＩＤおよび仮パスワードを用いて行なう。【選択図】    図１
2005029985.tif 000002
【特許請求の範囲】
【請求項１】
あらかじめ認証対象となる被認証者に対して付与される当該被認証者固有の識別情報および仮パスワードを登録する第１の登録手段と、
あらかじめ認証対象となる被認証者の生体情報を辞書情報として記憶する辞書記憶手段と、
認証対象となる被認証者の生体情報を取得する生体情報取得手段と、
この生体情報取得手段により取得された生体情報と前記辞書記憶手段に記憶された辞書情報とを照合することにより、両情報の間に所定の関係が成立するか否かを判定する第１の照合手段と、
この第１の照合手段による照合の結果、前記生体情報と辞書情報との間に所定の関係が成立しないと判定された場合、当該被認証者に対し前記識別情報および仮パスワードの入力を案内する案内手段と、
この案内手段による案内に基づき前記被認証者により入力される識別情報および仮パスワードを前記第１の登録手段により登録された識別情報および仮パスワードとそれぞれ照合することにより両識別情報および両仮パスワードがそれぞれ一致するか否かを判定する第２の照合手段と、
この第２の照合手段による照合の結果、両識別情報および両仮パスワードがそれぞれ一致した場合、前記生体情報取得手段により取得された当該被認証者の生体情報を辞書情報として前記辞書記憶手段に記憶せしめる第２の登録手段と、
を具備したことを特徴とする人物認証装置。
【請求項２】
前記第２の照合手段による照合の結果、両識別情報および両仮パスワードが一致した場合、前記第１の登録手段により登録された仮パスワードを当該被認証者本来のパスワードに変更するパスワード変更手段をさらに具備したことを特徴とする請求項１記載の人物認証装置。
【発明の詳細な説明】
【０００１】
【発明の属する技術分野】
本発明は、たとえば、セキュリティ管理などにおいて、人物の顔画像、指紋画像、虹彩情報、掌形画像、指画像、音声情報などの生体情報を用いて当該人物を認証する人物認証装置に関する。
【０００２】
【従来の技術】
一般に、この種の人物認証装置は、認証対象となる人物（被認証者）の生体情報をカメラやセンサなどを用いて取得し、この取得した生体情報から得られる当該人物固有の特徴情報を辞書情報として辞書記憶手段に記憶（登録）しておく。
【０００３】
そして、照合時には、認証対象となる人物の生体情報をカメラやセンサなどを用いて再度取得し、この取得した生体情報から得られる当該人物固有の特徴情報を辞書記憶手段にあらかじめ記憶されている辞書情報と照合することにより、両情報の間に所定の関係が成立するか否かを判定する。たとえば、入力された生体情報が辞書情報と類似しているかどうかを評価し、類似性が高い場合には当該人物は登録者（本人）であると判定し、類似性が低い場合には未登録者（本人ではない）と判定する。
【０００４】
このような人物認証装置における辞書情報の登録方法は、当該人物認証装置を管理する管理者および登録者（被認証者）の立ち会いのもと、記載情報（登録者ＩＤ、パスワード、氏名、住所、所属など）を登録する前に登録していた。
【０００５】
【発明が解決しようとする課題】
従来の人物認証装置における辞書情報の登録方法は、上述したように当該人物認証装置を管理する管理者が立ち会って管理者の管理のもとで登録を行なっていたため、時間を指定して登録したり、管理者を尋ねるなどして行なうのが普通で、登録者は時間とか管理者の都合に合わせる必要があった。
【０００６】
そこで、本発明は、辞書情報の登録を、管理者等が立ち会うことなく、被認証者本人が当該人物認証装置の利用時に行なうことが可能で、省力化と被認証者の利便性が高まる人物認証装置を提供することを目的とする。
【０００７】
【課題を解決するための手段】
本発明の人物認証装置は、あらかじめ認証対象となる被認証者に対して付与される当該被認証者固有の識別情報および仮パスワードを登録する第１の登録手段と、あらかじめ認証対象となる被認証者の生体情報を辞書情報として記憶する辞書記憶手段と、認証対象となる被認証者の生体情報を取得する生体情報取得手段と、この生体情報取得手段により取得された生体情報と前記辞書記憶手段に記憶された辞書情報とを照合することにより、両情報の間に所定の関係が成立するか否かを判定する第１の照合手段と、この第１の照合手段による照合の結果、前記生体情報と辞書情報との間に所定の関係が成立しないと判定された場合、当該被認証者に対し前記識別情報および仮パスワードの入力を案内する案内手段と、この案内手段による案内に基づき前記被認証者により入力される識別情報および仮パスワードを前記第１の登録手段により登録された識別情報および仮パスワードとそれぞれ照合することにより両識別情報および両仮パスワードがそれぞれ一致するか否かを判定する第２の照合手段と、この第２の照合手段による照合の結果、両識別情報および両仮パスワードがそれぞれ一致した場合、前記生体情報取得手段により取得された当該被認証者の生体情報を辞書情報として前記辞書記憶手段に記憶せしめる第２の登録手段とを具備している。
【０００８】
【発明の実施の形態】
以下、本発明の実施の形態について図面を参照して説明する。
なお、以下の説明では、人物の生体情報として顔画像を用いた場合を例として述べるが、顔画像以外に、指紋画像、虹彩情報、掌形画像、指画像、音声情報などの他の生体情報を用いても同様に実施できる。
【０００９】
図１は、本実施の形態に係る人物認証装置が適用される入退場管理システムの構成を概略的に示すものである。この入退場管理システムは、被認証者（以下、人物ともいう）１００の顔画像（少なくとも顔を含んでいる画像）を撮像して入力する生体情報取得手段としてのカメラ１０１、被認証者１００に対して入力された顔画像や各種案内などを出力する出力手段としての出力部１０２、被認証者１００を特定する個人ＩＤ（識別情報）やパスワードなどの情報を入力する入力手段としての入力部１０３、カメラ１０１から入力された画像を処理して当該人物固有の入力特徴情報（顔特徴情報）を取得する生体特徴取得手段としての顔特徴取得部１０４、あらかじめ登録されている人物の登録特徴情報（顔特徴情報）を辞書情報として記憶（登録）しておく辞書記憶手段としての辞書情報記憶部１０５、顔特徴取得部１０４から得られた入力特徴情報と辞書情報記憶部１０５内の辞書情報とを照合することにより、両情報の間に所定の関係が成立するか否か、たとえば、入力特徴情報と辞書情報との類似度を求め、求めた類似度が閾値よりも高い場合には当該人物は登録者（本人）であると判定し、求めた類似度が閾値よりも低い場合には未登録者（本人ではない）と判定する照合手段としての照合部１０６、照合部１０６の判定結果に応じて重要施設１０７の入退場用ドア１０８の開閉制御を行なう通行制御手段としてのドア制御部１０９、出力部１０２および入力部１０３を制御する入出力制御部１１０、被認証者１００に対して付与される当該被認証者固有の識別情報としての個人ＩＤおよびパスワードを記憶する記憶手段としてのＩＤ・パスワード記憶部１１１を有して構成されている。
【００１０】
カメラ１０１は、被認証者１００の顔画像（少なくとも顔を含んでいる画像）を撮像して入力するものであり、たとえば、ＣＣＤセンサなどの撮像素子を用いたテレビジョンカメラから構成されている。
【００１１】
出力部１０２は、たとえば、液晶表示パネルなどで構成されていて、カメラ１０１で撮影されている被認証者１００の顔画像や各種ガイダンス、メッセージなどを表示する。同様に、音声出力が行なえる機器を接続して音声メッセージなどを出力してもよい。
【００１２】
入力部１０３は、被認証者１００の個人ＩＤやパスワードなどを入力するもので、具体的には、たとえば、テンキーやタッチパネル、あるいは、ＩＣカードや磁気カードあるいは無線カードを読取るカードリーダなどによって実現可能である。
【００１３】
顔特徴取得部１０４は、カメラ１０１から入力された画像において、人物の顔を検出して入力特徴情報を抽出（取得）する。顔の検出方法としては、たとえば、文献（福井和広、山口修：「形状抽出とパターン照合の組合せによる顔特徴点抽出」、電子情報通信学会論文誌（Ｄ），ｖｏｌ．Ｊ８０−Ｄ−ＩＩ，Ｎｏ．８，ｐｐ２１７０−２１７７（１９９７））などの方法を用いることで、精度の高い顔の検出が実現可能である。この場合、あらかじめ用意されたテンプレートを画像中を移動させながら相関値を求めることにより、最も高い相関値を持った場所を顔領域とする。
【００１４】
辞書情報記憶部１０５は、あらかじめシステム全体で利用を許可された人物の生体情報を辞書情報として登録しておくものである。登録する辞書情報としては、入力された顔画像、抽出した特徴量、部分空間、部分空間を構成するための固有ベクトル、相関行列、登録の際の時刻、日時、場所などの状況情報、暗証番号、ＩＤ番号などの個人情報といったものがあげられ、必要に応じて記憶しておくことが可能とするが、本実施の形態においては、顔特徴取得部１０４で取得された顔切出し画像をＫＬ展開によって固有空間に変換して得られたベクトル情報を保存するものとし、この情報を辞書情報として扱う。
【００１５】
照合部１０６は、顔特徴取得部１０４から得られた入力特徴情報と辞書情報記憶部１０５内の辞書情報とを照合することにより、入力特徴情報と辞書情報との類似度を求め、求めた類似度が閾値よりも高い場合には当該人物は登録者（本人）であると判定し、求めた類似度が閾値よりも低い場合には未登録者（本人ではない）と判定する。この判定方法としては、入力部１０３によるＩＤカードやテンキー入力を利用して特定された辞書情報と一致するかどうかの１対１照合と、全登録者または一部の登録者と総当りで一致判定を行ない、１つでも一致する辞書情報があれば登録者と判定するという１対Ｎ照合の両方が利用可能である。
【００１６】
照合部１０６は、たとえば、求めた類似度が閾値以上の場合、ドア制御部１０９に「ドア開」の信号を出力し、求めた類似度が閾値よりも小さかった場合、ドア制御部１０９に「ドア閉」の信号を出力する。ドア制御部１０９は、照合部１０６から「ドア開」の信号を受取ると、入退場用ドア１０８を開状態に制御して、被認証者１００の入場を許可し、「ドア閉」の信号を受取ると、入退場用ドア１０８を閉状態に保持して、被認証者１００の入場を拒否する。
【００１７】
次に、図２に示すフローチャートを参照して動作を説明する。
まず、当該人物認証装置の管理者は、あらかじめ登録する被認証者に対して付与する個人ＩＤおよび仮パスワードを入力部１０３から入力することにより、入出力制御部１１０は、この入力された個人ＩＤおよび仮パスワードをＩＤ・パスワード記憶部１１１に記憶（登録）する（ステップＳ１）。そして、当該人物認証装置の管理者は、この登録した個人ＩＤおよび仮パスワードを当該被認証者に対して知らせる（ステップＳ２）。ここに、ステップＳ１の処理が本発明における第１の登録手段に対応している。
【００１８】
次に、被認証者１００が顔画像を入力して照合を行なう（ステップＳ３）。すなわち、カメラ１０１により被認証者１００の顔画像が入力されると、照合部１０６は、顔特徴取得部１０４により取得された入力特徴情報を辞書情報記憶部１０５に記憶されている辞書情報とを照合することにより、入力特徴情報と辞書情報との類似度を求め、求めた類似度が閾値よりも高い場合には当該人物は登録者（本人）であると判定（照合ＯＫと判定）し、求めた類似度が閾値よりも低い場合には未登録者（本人ではない）と判定（照合ＮＧと判定）する（ステップＳ４）。ここに、ステップＳ３の処理が本発明における第１の照合手段に対応している。
【００１９】
また、照合部１０６は、照合ＮＧと判定すると、当該被認証者１００に対して、入出力制御部１１０を介して出力部１０２に個人ＩＤおよびパスワードを入力するように案内する（ステップＳ５）。なお、この案内に基づき被認証者１００は個人ＩＤおよびパスワードを入力するが、まだ辞書情報が未登録であって初めての登録時は個人ＩＤおよび仮パスワードを入力し、既に一度辞書情報を登録している場合は個人ＩＤおよび本来のパスワードを入力することとする。ここに、ステップＳ５の処理が本発明における案内手段に対応している。
【００２０】
さて、ステップＳ５の案内に基づき、被認証者１００により入力部１０３から個人ＩＤおよびパスワードが入力される。この場合、まだ辞書情報が未登録であって初めての登録であるとすると、被認証者１００により個人ＩＤおよび仮パスワードが入力される。すると、照合部１０６は、入出力制御部１１０を介して当該個人ＩＤおよび仮パスワードを受入れ、ＩＤ・パスワード記憶部１１１に記憶（登録）された個人ＩＤおよび仮パスワードとそれぞれ照合することにより、両個人ＩＤおよび両仮パスワードが一致するか否かを判定する（ステップＳ６）。ここに、ステップＳ６の処理が本発明における第２の照合手段に対応している。
【００２１】
この判定の結果、両個人ＩＤおよび両仮パスワードの少なくともいずれか一方が不一致であれば、ステップＳ３に戻って上記動作を繰り返し、両個人ＩＤおよび両仮パスワードが一致であれば、ステップＳ３の照合に用いられた入力特徴情報を辞書情報として辞書情報記憶部１０５に記憶（登録）せしめる（ステップＳ７）。ここに、ステップＳ７の処理が本発明における第２の登録手段に対応している。
【００２２】
次に、ＩＤ・パスワード記憶部１１１に記憶されている仮パスワードを当該被認証者１００本来のパスワードに変更する（ステップＳ８）。すなわち、被認証者１００に対し、出力部１０２により自分本来のパスワードを入力するように案内する。この案内に基づき、被認証者１００により入力部１０３からパスワードが入力されると、入出力制御部１１０は、ＩＤ・パスワード記憶部１１１内の対応する仮パスワードを、この入力された本来のパスワードに書換える。ここに、ステップＳ８の処理が本発明におけるパスワード変更手段に対応している。
【００２３】
ステップＳ４で照合ＯＫと判定された場合、あるいは、ステップＳ８の処理が終了すると、照合部１０６は、ドア制御部１０９に対し「ドア開」を指示し（ステップＳ８）、ステップＳ３に戻って上記動作を繰り返す。
【００２４】
このように、辞書情報の登録を、被認証者本人が当該人物認証装置の利用時に個人ＩＤおよび仮パスワードを用いて登録可能とすることで、当該人物認証装置の管理者等が辞書登録に立ち会う必要がないため、省力化と登録者の利便性が著しく高まるものである。
【００２５】
【発明の効果】
以上詳述したように本発明によれば、辞書情報の登録を、管理者等が立ち会うことなく、被認証者本人が当該人物認証装置の利用時に行なうことが可能で、省力化と被認証者の利便性が高まる人物認証装置を提供できる。
【図面の簡単な説明】
【図１】本発明の実施の形態に係る人物認証装置が適用される入退場管理システムの構成を概略的に示すブロック図。
【図２】動作を説明するフローチャート。
【符号の説明】
１００…被認証者（人物）、１０１…カメラ（生体情報取得手段）、１０２…出力部、１０３…入力部、１０４…顔特徴取得部（生体特徴取得手段）、１０５…辞書情報記憶部（辞書記憶手段）、１０６…照合部（照合手段）、１０９…ドア制御部（通行制御手段）、１１０…入出力制御部、１１１…ＩＤ・パスワード記憶部（記憶手段）。
【図１】
2005029985.tif 000003
【図２】
2005029985.tif 000004